(57)【要約】【課題】庇板に下向きまたは上向きの荷重が作用しても、庇板が保持具の保持板部の前端縁の部分で折り曲がって変形するのを防止する。【解決手段】庇板３は、上下に対向する上板部３１および下板部３２を備え、上板部３１と下板部３２とで挟まれる空間の後端部分に内部が中空の補強板４が全幅にわたって装着されている。補強板４は、上下の横板部４１，４２と、上下の横板部４１，４２の前端部間および後端部間にそれぞれ設けられる前後の縦板部４３，４４とを有する。庇板３の後端部は保持具２により保持される。保持具２は建物の背板部２０の前面に、庇板３の上面および下面を保持するための保持板部２１，２２が背板部２０と一体形成されたものである。保持板部２１，２２に庇板３が保持された状態のとき、前側の縦板部４３が保持具２の保持板部２１，２２の前端縁より前方に位置するように補強板４が形成されている。【選択図】図３
2014084681.tif 000002
【特許請求の範囲】
【請求項１】
庇板が建物より前方へ張り出すように庇板の後端部が建物の外壁面に取り付けられた保持具により保持されて成る庇において、前記庇板は、上下に対向する平面形状が矩形状の上板部および下板部と、上板部と下板部とで挟まれる空間の後端部分に全幅にわたって装着される内部が中空の補強板と、上板部と下板部との間の前端の開放端縁に沿って全幅にわたって装着される前縁枠と、上板部と下板部との間の両側の開放端縁に沿って全長にわたってそれぞれ装着される左右の側縁枠とを備えたものであり、前記補強板は、庇板の上板部の下面および下板部の上面に沿う上下の横板部と、上下の横板部の前端部間および後端部間にそれぞれ設けられる前後の縦板部とを有し、後側の縦板部が庇板の後端縁に沿うように補強板が位置決めされており、前記保持具は、建物の外壁面に固定される背板部の前面に、庇板の上面と下面との少なくとも一方を保持するための１個または２個の保持板部が背板部と一体形成されたものであり、前記保持具の保持板部に庇板が保持された状態のとき、前側の縦板部が保持具の保持板部の前端縁より前方に位置するように補強板が形成されて成る庇。
【請求項２】
前記補強板は、上下の横板部の前端部に前側の縦板部より一定幅だけ前方へ突出する弾性変形が可能な突片を備えている請求項１に記載された庇。
【請求項３】
前記補強板は、上下の横板部の前端に、前側の縦板部の前方へ突き出る湾曲板部が一体に形成されたものである請求項１に記載された庇。
【請求項４】
前記補強板は、上側の横板部の下面に沿って補強用帯板材が配備されたものである請求項１〜３のいずれかに記載された庇。
【請求項５】
前記庇板は、上板部と下板部とで挟まれる空間に発泡体が装填されたものである請求項１に記載された庇。
【請求項６】
前記上板部および下板部は、合成樹脂製の芯材をアルミニウム製の表層板により挟んで一体化されたものである請求項１に記載された庇。
【発明の詳細な説明】
【技術分野】
【０００１】
この発明は、庇板が建物より前方へ張り出すように庇板の後端部が建物の外壁面に取り付けられた保持具により保持されて成る庇に関する。
【背景技術】
【０００２】
従来のその種の庇には種々の態様のものがあり、例えば、図１６に示すように、建物の外壁面１０に取り付けられた保持具２の上下に対向する保持板部２１，２２間に庇板１００の後端部が保持された構造のものがある（例えば特許文献１参照）。保持板部２１，２２は、建物の外壁面１０に固着される背板部２０の前面に保持溝２３を挟んで上下に対向するように一体形成されている。庇板１００は保持板部２１，２２間の保持溝２３にその後端部が差し込まれ、保持板部２１，２２間をボルト９およびナット９０により締め付けることにより庇板１００の後端部が保持板部２１，２２により挟持されている。
【０００３】
従来、庇板１００には種々のものが用いられており、例えば、強度を確保しながら庇板１００の薄型化をはかり、そのうえ、軽量で製造コストを低減するために、アルミニウム製の上板部１０１と下板部１０２とで挟まれる空間に発泡体１０３を装填したものが提案されている（例えば特許文献２参照）。
【先行技術文献】
【特許文献】
【０００４】
【特許文献１】特許第４１９２１９９号公報
【特許文献２】特開２００９−２７０２９９号公報
【発明の概要】
【発明が解決しようとする課題】
【０００５】
しかしながら、上記した構成の庇では、庇板１００に図中、矢印で示すような下向きの荷重（風圧など）Ｆが作用すると、庇板１００の下面は下側の保持板部２２の前端縁に押し付けられるため、庇板１００の押し付けられた部分に荷重が集中して、庇板１００は下方へ折れ曲がり、図中、一点鎖線で示すように、くの字形に変形するおそれがある。庇板１００に上向きの荷重が作用したときも同様であり、庇板１００の上面は上側の保持板部２１の前端縁に押し付けられるため、庇板１００の押し付けられた部分に荷重が集中して、庇板１００は上方へ折れ曲がり、くの字形に変形するおそれがある。
【０００６】
この発明は、上記した問題に着目してなされたもので、庇板に下向きまたは上向きの荷重が作用しても、庇板が保持具の保持板部の前端縁の部分で折り曲がって変形するのを防止した庇を提供することを目的とする。
【課題を解決するための手段】
【０００７】
この発明による庇は、庇板が建物より前方へ張り出すように庇板の後端部が建物の外壁面に取り付けられた保持具により保持されて成るものである。前記庇板は、上下に対向する平面形状が矩形状の上板部および下板部と、上板部と下板部とで挟まれる空間の後端部分に全幅にわたって装着される内部が中空の補強板と、上板部と下板部との間の前端の開放端縁に沿って全幅にわたって装着される前縁枠と、上板部と下板部との間の両側の開放端縁に沿って全長にわたってそれぞれ装着される左右の側縁枠とを備えたものである。前記補強板は、庇板の上板部の下面および下板部の上面に沿う上下の横板部と、上下の横板部の前端部間および後端部間にそれぞれ設けられる前後の縦板部とを有し、後側の縦板部が庇板の後端縁に沿うように補強板が位置決めされている。前記保持具は、建物の外壁面に固定される背板部の前面に、庇板の上面と下面との少なくとも一方を保持するための１個または２個の保持板部が背板部と一体形成されたものであり、前記保持具の保持板部に庇板が保持された状態のとき、前側の縦板部が保持具の保持板部の前端縁より前方に位置するように補強板が形成されている。
【０００８】
上記した構成の庇において、庇板に下向きの荷重が作用したとき、庇板の下面が保持具の保持板部に保持されていれば、庇板の下板部は保持具の保持板部の前端縁に押し付けられて荷重が集中するが、庇板は補強板を構成する前側の縦板部が保持具の保持板部の前端縁より前方に位置し、荷重が集中する部分は補強板によって補強されているので、庇板はその押し付けられた部分で下方へ折れ曲がってくの字形に変形するのが防止される。
庇板に上向きの荷重が作用したとき、庇板の上面が保持具の保持板部に保持されていれば、庇板の上板部は保持具の保持板部の前端縁に押し付けられて荷重が集中するが、庇板は補強板を構成する前側の縦板部が保持具の保持板部の前端縁より前方に位置し、荷重が集中する部分は補強板によって補強されているので、庇板はその押し付けられた部分で上方へ折れ曲がってくの字形に変形するのが防止される。
【０００９】
この発明の好ましい実施態様においては、前記補強板は、上下の横板部の前端部に前側の縦板部より一定幅だけ前方へ突出する弾性変形が可能な突片を備えている。
【００１０】
この実施態様によると、庇板に下向きの荷重が作用したとき、庇板の上板部は補強板の前側の縦板部の上端位置に押し付けられるが、この部分に作用する荷重によって突片が弾性変形するため、荷重の集中化が避けられるとともに、突片の復元力が庇板の上板部に作用するため、庇板の上板部は押し付けられた部分で下方へ折れ曲がってくの字形に変形するのが防止される。また、庇板に上向きの荷重が作用したとき、庇板の下板部は補強板の前側の縦板部の下端位置に押し付けられるが、この部分に作用する荷重によって突片が弾性変形するため、荷重の集中化が避けられるとともに、突片の復元力が庇板の下板部に作用するので、庇板の下板部は押し付けられた部分で上方へ折れ曲がってくの字形に変形するのが防止される。
【００１１】
この発明の他の好ましい実施態様においては、前記補強板は、上下の横板部の前端に、前側の縦板部の前方へ突き出る湾曲板部が一体に形成されたものである。
【００１２】
この実施態様によると、庇板に下向きの荷重が作用したとき、庇板の上板部は補強板の前側の縦板部の上端位置に押し付けられるが、庇板の上板部は湾曲板部に沿って変形するため、庇板の上板部は補強板の前側の縦板部の上端位置において荷重が集中せず、庇板の上板部は下方へ折れ曲がってくの字形に変形するのが防止される。庇板に上向きの荷重が作用したとき、庇板の下板部は補強板の前側の縦板部の下端位置に押し付けられるが、庇板の下板部は湾曲板部に沿って変形するため、庇板の下板部は補強板の前側の縦板部の下端位置において荷重が集中せず、庇板の下板部は上方へ折れ曲がってくの字形に変形するのが防止される。
【００１３】
この発明の好ましい実施態様においては、前記補強板は、上側の横板部の下面に沿って補強用帯板材が配備されたものである。この実施態様によると、補強板は補強用帯板材によって補強されるので、耐荷重性が増す。
【００１４】
この発明の上記した構成において、前記庇板の上板部と下板部とで挟まれる空間は中空状態のままでもよいが、発泡体を装填するのが望ましく、また、発泡体に代えてハニカムボードなどを装填してもよい。
【００１５】
また、前記上板部および下板部は、アルミニウムなどの金属板材により構成するのが望ましいが、庇板の軽量化をはかるために、合成樹脂製の芯材をアルミニウム製の表層板により挟んで一体化されたものを用いてもよい。
【発明の効果】
【００１６】
この発明によると、庇板に下向きまたは上向きの荷重が作用しても、補強板の存在によって庇板が保持具の保持板部の前端縁の部分で折り曲がって変形するのを防止できる。また、荷重に対する庇板の曲げ変形を防止するのに、庇板の上板部と下板部とで挟まれる空間の後端部分に内部が中空の補強板を装着するだけであるから、庇板の組立が容易であり、製作コストが嵩むおそれもない。
【図面の簡単な説明】
【００１７】
【図１】この発明の一実施例である庇の外観を示す斜視図である。
【図２】図１の実施例の平面図である。
【図３】図１のＡ−Ａ線に沿う拡大断面図である。
【図４】庇板の分解斜視図である。
【図５】補強板の補強例を示す断面図である。
【図６】補強板の他の実施例を示す断面図である。
【図７】補強板の他の実施例を示す断面図である。
【図８】保持具の他の実施例を示す断面図である。
【図９】保持具の他の実施例を示す断面図である。
【図１０】上板部および下板部の構成を示す拡大断面図である。
【図１１】前縁枠の取付構造を示す断面図である。
【図１２】側縁枠の取付構造を示す断面図である。
【図１３】アームを有する実施例の平面図である。
【図１４】アームの取付構造を示す断面図である。
【図１５】アームの取付構造を示す断面図である。
【図１６】従来例の構成を示す縦断面図である。
【発明を実施するための形態】
【００１８】
図１〜図３はこの発明の一実施例である庇１の外観および構造を示している。
この庇１は、庇板３が建物の外壁面１０から張り出すように設けられるもので、建物の外壁面１０に固着された保持具２により前記庇板３の後端部が全幅にわたって保持されている。なお、詳細は後述するが、張出し量や幅が大きな庇については、必要に応じて、庇板３の少なくとも１箇所、望ましくは２箇所以上をアームを用いて水平ないしは水平に近い状態で支持することもできる（図１３〜図１５参照）。
【００１９】
庇板３は、図４に示すように、上下に対向する平面形状が矩形状の上板部３１および下板部３２と、上板部３１と下板部３２とで挟まれる空間の後端部分に全幅にわたって装着される内部が中空の補強板４と、上板部３１と下板部３２とで挟まれる空間のほぼ全体に装填される発泡体５と、上板部３１と下板部３２とで挟まれる空間の前端部に全幅にわたって配置される角パイプ状の補強枠６と、上板部３１と下板部３２との間の前端の開放端縁に沿って全長にわたって装着される前縁枠７と、上板部３１と下板部３２との間の両側の開放端縁に沿って全長にわたって装着される左右の側縁枠７０，７０とで構成されるものである。
【００２０】
前記発泡体５は硬質発泡ウレタンなど、公知の発泡材により構成されている。図示例では、上板部３１、下板部３２、補強板４、補強枠６、および左右の側縁枠７０，７０によって囲まれる空間に発泡体５が装填されているが、補強板４の中空内部に装填することもできる。
【００２１】
補強板４は、アルミニウムの押出成形により形成されたものであって、内部が中空の板状体であり、庇板３の上板部３１の下面および下板部３２の上面に沿う上下の横板部４１，４２と、上下の横板部４１，４２の前端部間および後端部間にそれぞれ設けられる前後の縦板部４３，４４とを一体に有している。後側の縦板部４４が庇板３の後端縁に沿うように前記補強板４が位置決め固定される。補強板４は、前記保持具２の後述する背板部２０の前面に庇板３の後端面を突き当てた状態で庇板３が保持具２の保持板部２１，２２にボルト９およびナット９０により固定されたとき、前側の縦板部４３は保持具２の保持板部２１，２２の前端縁より前方に位置するもので、補強板４の前後幅は前記保持板部２１，２２の突出長さや庇板３の固定位置に応じて設定される。
【００２２】
図５は、補強板４の上側の横板部４１に沿って鉄板製の補強用帯板材４５が配備された実施例を示している。補強板４の前後の縦板部４３，４４の上部位置にはガイド片４６，４６が一体形成され、これらのガイド片４６，４６と上側の横板部４１との間の溝に補強用帯板材４５の前後の各端縁が嵌挿されている。
【００２３】
図６は、補強板４の他の実施例を示している。図示例の補強板４は、上下の横板部４１，４２の前端部に前側の縦板部４３より一定幅だけ前方へ突出する弾性変形が可能な上下の突片４７，４８を一体に備えたものである。各突片４７，４８は先端部に向けて薄くなる形状に形成されており、上側の突片４７の上面は上側の横板部４１の上面に連続し、下側の突片４８の下面は下側の横板部４２の下面に連続している。
【００２４】
図７は、補強板４のさらに他の実施例を示している。図示例の補強板４は、上下の横板部４１，４２の前端に、前側の縦板部４３の前方へ突き出る湾曲板部４９が一体に形成されたものである。この実施例の湾曲板部４９は半円筒形をなすものであり、湾曲板部４９の表面の湾曲面４９ａが上側の横板部４１の上面および下側の横板部４２の下面と連続している。なお、湾曲面４９ａの湾曲形状は半円筒形に限られるものではなく、例えば、さらに前方へ突き出たような形状のものであってもよい。
【００２５】
前記保持具２は、庇板３の全幅とほぼ一致する長さを有するもので、建物の外壁面１０に沿ってアンカーボルト２６により複数個所が止め固定される背板部２０と、背板部２０の前面のほぼ中央部に保持溝２３を挟んで上下に対向するように庇板３の全幅に対応する長さに一体形成される一対の保持板部２１，２２とを備えたものである。図３に示す実施例では上下の保持板部２１，２２は突出長さが異なっているが、図５〜図７に示す実施例のように同じ長さに形成することもできる。上下の各保持板部２１，２２には、一定間隔毎にボルト９を通すためのボルト挿通孔２７，２８が同じ位置に形成されており、上側の保持板部２１には庇板３の上板部３１の上面が、下側の保持板部２２には庇板３の下板部３２の下面が、それぞれ重ねられた状態で、ボルト９およびナット９０により庇板３の後端部が上下の保持板部２１，２２間に締め付け固定されている。なお、図示していないが、庇板３の後端部には保持板部２１，２２のボルト挿通孔２７，２８に対応する位置にボルト９を通すためのボルト挿通孔が形成されている。
【００２６】
保持板部２１，２２間の保持溝２３は、庇板３の後端部を前方より差し込むことが可能であって庇板３の後端面を背板部２０の前面に当接させることが可能な溝幅を有し、保持溝２３の前面が全長にわたって開放されている。各保持板部２１，２２は可撓性を有しており、ボルト９およびナット９０による内向きの締付力が作用したとき、内側へわずかに撓んで弾性変形し、庇板３の後端部をしっかり挟持する。なお、図３において、２４，２５は保持板部２１，２２、ボルト９，２６、およびナット９０が外部から見えないようにするための上下のカバーである。また、図１において、２９は保持具２の両側端面を塞ぐ端板である。
【００２７】
図８は、保持具２の他の実施例を示している。図示例の保持具２は、建物の外壁面１０に複数本のアンカーボルト２６により止め固定される背板部２０と、背板部２０の前面の下部位置に庇板３の全幅に対応する長さに一体形成されたひとつの保持板部２２とを備えたものであり、保持板部２２に庇板３の下板部３２の下面が重ねられた状態で、ボルト９およびナット９０により庇板３の後端部が保持板部２２に締め付け固定されている。保持板部２２には複数本のボルト９の頭部９１を幅方向へ移動自由に支持する支持溝３６と軸部９２を幅方向へ移動自由に係合させるガイド溝３７とが上下に連通させて形成されており、保持具２への庇板３の取付に際し、各ボルト９を庇板３に形成されたボルト挿通孔の位置まで移動させているようになっている。
【００２８】
図９は、保持具２の他の実施例を示している。図示例の保持具２は、建物の外壁面１０に複数本のアンカーボルト２６により止め固定される背板部２０と、背板部２０の前面の高さ中央部の位置に庇板３の全幅に対応する長さに一体形成されたひとつの保持板部２１とを備えたものであり、保持板部２１に庇板３の上板部３１の上面が重ねられた状態で、ボルト９およびナット９０により庇板３の後端部が保持板部２１に締め付け固定されている。なお、図５〜図８の実施例においては、図３で示した上下のカバー２４，２５が、図９の実施例においては、図３で示した上側のカバー２４が、それぞれ設けられるが、図５〜図９には、カバー２４，２５の図示を省略している。
また、上記の各実施例では、保持具２は庇板３の全幅に対応する長さを有するものであるが、そのような一連一体のものに限らず、複数個のピースに分割された形態のものであってもよい。
【００２９】
庇板３を構成する上板部３１および下板部３２は、平面形状が幅方向に長い矩形状であり、アルミニウムなどの金属板材を用いて構成することも可能であるが、この実施例では、図１０に示すように、合成樹脂製の芯材３３をアルミニウムの表層板３４，３５で挟んで一体に貼り合わされた構造の複合板が用いられている。
【００３０】
上板部３１と下板部３２との間の空間の前端部には、図４に示すように、補強枠６が配置され、上板部３１と下板部３２との間の前端の開放端縁には前縁枠７が、両側の各開放端縁には側縁枠７０が、それぞれ開放端縁を塞ぐように装着されている。前縁枠７は、図１１に示すように、補強枠６に沿う端面部７１と、上板部３１の上面に被さる上面部７２と、下板部３２の下面に被さる下面部７３とを一体に備えている。この前縁枠７は上板部３１および補強枠６にネジ止めされている。
【００３１】
側縁枠７０は、図１２に示すように、上板部３１と下板部３２との間の両側の開放端面に沿う端面部７４と、上板部３１の上面に被さる上面部７５と、下板部３２の下面に被さる下面部７６とを一体に備えている。各側縁枠７０は前部が上板部３１および補強枠６の両端部にネジ止めされるとともに、後部が上板部３１および補強板４の両側部にネジ止めされている。上記した前縁枠７、側縁枠７０、および補強枠６は、アルミニウムの押出成形により形成されている。
【００３２】
図１３は、２本のアーム８，８を有する庇１の構成例を示している。図示例の庇１では、庇板３の上板部３１と下板部３２とで挟まれる空間の補強板４より前方位置に取付枠部６０が幅方向に配設され、この取付枠部６０に各アーム８の下端が連結されている。各アーム８は、長さ調節が可能な構成のものであり、アーム８の一端は取付金具８０を介して建物の外壁面１０に支持され、アーム８の他端は長さ調節用のねじ軸８１（図１４，１５に示す。）および取付金具８２を介して庇板３の取付枠部６０に連結されている。
【００３３】
取付金具８２は、図１４および図１５に示すように、ねじ軸８１の一端に取り付けられた取付板８３と、取付板８３を回動自由に支持する枢軸８４と、枢軸８４の両端を支持する一対の支持板８５，８５を有する取付基板８６とで構成されている。取付基板８６には２個の貫通孔８７，８７が形成され、各貫通孔８７に庇板３の上板部３１に形成された取付孔３８より突出するねじ軸６３，６３を挿通してナット６４により固定している。
【００３４】
２本のねじ軸６３は、前記取付枠部６０にスライド自由に係合した位置決め板６５に取り付けられたものである。位置決め板６５は、取付枠部６０の内部に全長にわたって形成された摺動溝６１に摺動自由に係合している。取付枠部６０の上面には摺動溝６１に通じる溝開口６２が形成されており、溝開口６２より各ねじ軸６３が上方へ突出する。
なお、上記の実施例は、庇板３をアーム８により上方から吊持する構成のものであるが、これに限らず、庇板３をアーム８により下方から支持することもできる。
【００３５】
上記した構成の庇１において、庇板３に下向きの風圧などの荷重が作用したとき、庇板３の下板部３２は保持具２の下側の保持板部２２の前端縁に押し付けられて荷重が集中するが、庇板３は補強板４を構成する前側の縦板部４３が保持具２の保持板部２２の前端縁より前方に位置し、荷重が集中する部分は補強板４によって補強されているので、庇板３はその押し付けられた部分で下方へ折れ曲がってくの字形に変形するのが防止される。
庇板３に上向きの荷重が作用したとき、庇板３の上板部３１は保持具２の上側の保持板部２１の前端縁に押し付けられて荷重が集中するが、庇板３は補強板４を構成する前側の縦板部４３が保持具２の保持板部２１の前端縁より前方に位置し、荷重が集中する部分は補強板４により補強されているので、庇板３はその押し付けられた部分で上方へ折れ曲がってくの字形に変形するのが防止される。
【００３６】
図６に示す実施例では、庇板３に下向きの荷重が作用したとき、庇板３の上板部３１は補強板４の前側の縦板部４３の上端位置にも押し付けられるが、この部分に作用する荷重によって突片４７が弾性変形するため、荷重の集中化が避けられるとともに、突片４７の復元力が庇板３の上板部３１に作用するため、庇板３の上板部３１は押し付けられた部分で下方へ折れ曲がってくの字形に変形するのが防止される。
また、庇板３に上向きの荷重が作用したとき、庇板３の下板部３２は補強板４の前側の縦板部４３の下端位置にも押し付けられるが、この部分に作用する荷重によって突片４８が弾性変形するため、荷重の集中化が避けられるとともに、突片４８の復元力が庇板３の下板部３２に作用するので、庇板３の下板部３２は押し付けられた部分で上方へ折れ曲がってくの字形に変形するのが防止される。
【００３７】
図７に示す実施例では、庇板３に下向きの荷重が作用したとき、庇板３の上板部３１は補強板４の前側の縦板部４３の上端位置にも押し付けられるが、庇板３の上板部３１は湾曲板部４９に沿って変形するため、庇板３の上板部３１は補強板４の前側の縦板部４３の上端位置において荷重が集中せず、庇板３の上板部３１は下方へ折れ曲がってくの字形に変形するのが防止される。庇板３に上向きの荷重が作用したとき、庇板３の下板部３２は補強板４の前側の縦板部４３の下端位置にも押し付けられるが、庇板３の下板部３２は湾曲板部４９に沿って変形するため、庇板３の下板部３２は補強板４の前側の縦板部４３の下端位置において荷重が集中せず、庇板３の下板部３２は上方へ折れ曲がってくの字形に変形するのが防止される。
【００３８】
図５〜図９の実施例では、補強板４の内部に鉄板製の補強用帯板材４５が上側の横板部４１に沿って配備されているので、補強板４は補強用帯板材４５により補強され、耐荷重性が増している。また、アーム８を備えた図１３〜図１５に示す実施例では、風圧などの荷重に対する耐荷重性は一層高められている。
【符号の説明】
【００３９】
１    庇
２    保持具
３    庇板
４    補強板
５    発泡体
７    前縁枠
２０  背板部
２１，２２  保持板部
３１  上板部
３２  下板部
３３  芯材
３４，３５  表層板
４１，４２  横板部
４３，４４  縦板部
４５  補強用帯板材
４７，４８  突片
４９  湾曲板部
７０  側縁枠
【図１】
2014084681.tif 000003
【図２】
2014084681.tif 000004
【図３】
2014084681.tif 000005
【図４】
2014084681.tif 000006
【図５】
2014084681.tif 000007
【図６】
2014084681.tif 000008
【図７】
2014084681.tif 000009
【図８】
2014084681.tif 000010
【図９】
2014084681.tif 000011
【図１０】
2014084681.tif 000012
【図１１】
2014084681.tif 000013
【図１２】
2014084681.tif 000014
【図１３】
2014084681.tif 000015
【図１４】
2014084681.tif 000016
【図１５】
2014084681.tif 000017
【図１６】
2014084681.tif 000018